(57)【要約】【課題】特定の発信者電話番号にもとづいて特定の子機を呼び出す機能を有効に活用することができるコードレス電話機を提供する。【解決手段】親機１０において、呼出先テーブル記憶部１５には、発信者電話番号と、発信者電話番号に対応する呼出先子機番号と、発信者電話番号に対応する子機の名称である呼出先名称とが対応して設定される呼出先テーブルが記憶される。呼出先判定部１３は、呼出先テーブルを参照して呼出子機を特定する。呼出先更新処理部１４は、子機から呼出先の更新依頼を受信したときに呼出先テーブルの更新処理を行う。子機２０において、呼出名称記憶部２４には、親機から受信した呼出先名称のデータが記憶される。音声認識結果判定部２５は、入力された音声の認識処理を行う音声認識部２３の認識結果が呼出名称記憶部２４に記憶されている呼出先名称のデータと一致した場合に、親機１０に更新依頼を送信する。【選択図】図１
2008219721.tif 000002
【特許請求の範囲】
【請求項１】
加入者線に接続される親機と、親機と無線回線で通信可能に接続される複数の子機とを備えたコードレス電話機において、
親機は、発信者電話番号を示すデータと呼出先子機番号を示すデータと呼出者を特定可能なデータとが対応して設定された呼出先テーブルを記憶する呼出先テーブル記憶部と、前記呼出先テーブル記憶部の記憶内容の設定および更新を行う呼出先管理部と、着信時に加入者線を介して取得した発信者電話番号と前記呼出先テーブルに設定されているデータが示す発信者電話番号とが一致したときに、前記呼出先テーブルに設定されている呼出先子機番号を示すデータに対応する子機を呼び出す処理を行う呼出制御部とを含み、
各子機は、前記呼出先テーブルに設定された呼出者を特定可能なデータを記憶する呼出対象記憶部と、前記呼出対象記憶部に記憶されている呼出者を特定可能なデータに相当する情報が入力された場合に、親機に対して呼出先テーブルの更新依頼を送信する更新依頼部とを含み、
前記呼出先管理部は、いずれかの子機から更新依頼を受信した場合に、前記呼出先テーブルにおける呼出先子機番号を示すデータを、更新依頼を送信した子機の子機番号を示すデータに更新する
ことを特徴とするコードレス電話機。
【請求項２】
呼出先テーブルに設定される呼出者を特定可能なデータとして呼出者の生体情報のデータが設定され、
更新依頼部は、
入力された生体情報を認識する生体情報認識部と、
前記生体情報認識部が認識した音声を示すデータが呼出先テーブルに設定された呼出者の生体情報と一致するか否か判定し、一致すると判定した場合に親機に対して呼出先テーブルの更新依頼を送信する生体情報認識結果判定部とを含む
請求項１記載のコードレス電話機。
【請求項３】
呼出先テーブルに設定される呼出者を特定可能なデータとして呼出先名称を示すデータが設定され、
更新依頼部は、
入力された音声を認識する音声認識部と、
前記音声認識部が認識した音声を示すデータが呼出先テーブルに設定された呼出先名称を示すデータと一致するか否か判定し、一致すると判定した場合に親機に対して呼出先テーブルの更新依頼を送信する音声認識結果判定部とを含む
請求項２記載のコードレス電話機。
【請求項４】
呼出制御部は、加入者線を介して取得した発信者電話番号のデータが呼出先テーブル記憶部に記憶されていない場合には、全ての子機を呼び出す処理を行う
請求項１から請求項３のうちのいずれか１項に記載のコードレス電話機。
【請求項５】
呼出先テーブル記憶部は、異なる呼出先子機番号を示すデータがそれぞれに設定された複数の呼出先テーブルを記憶する
請求項１から請求項４のうちのいずれか１項に記載のコードレス電話機。
【請求項６】
呼出先テーブル記憶部は、同じ呼出先子機番号を示すデータが設定された複数の呼出先テーブルを記憶する
請求項１から請求項４のうちのいずれか１項に記載のコードレス電話機。
【発明の詳細な説明】
【技術分野】
【０００１】
本発明は、加入者線に接続される親機と、親機と無線回線で通信可能に接続される子機とを備えたコードレス電話機に関する。
【背景技術】
【０００２】
特定の発信者電話番号を示すデータを子機に対応付けて記憶部に記憶し、加入者線を介して交換機等に接続される親機に着信があったときに、親機が、交換機等から通知された発信者電話番号と記憶部に記憶されているデータとを比較するように構成されたコードレス電話機がある（例えば、特許文献１参照）。そのようなコードレス電話機における親機は、交換機等から通知された発信者電話番号と記憶部に記憶されているデータが示す発信者電話番号が一致すると、着信を子機に転送する。すなわち、子機を呼び出す。すると、呼び出された子機は、リンガを鳴動させる。
【０００３】
そのように構成されたコードレス電話機を用いれば、例えば、子機を頻繁に使用するユーザが、そのユーザと頻繁に通話を行う他者からの着信に対して直ちに応答することができる。
【０００４】
【特許文献１】特開平１０−３０４４５８号公報（段落０００２−０００５）
【発明の開示】
【発明が解決しようとする課題】
【０００５】
一般に、宅内において、子機は、親機が設置された部屋とは異なる部屋に設置される。しかし、子機を頻繁に使用するユーザが、子機が設置されている部屋に常に在室しているとは限らない。子機が設置されている部屋に子機を頻繁に使用するユーザが在室していない場合には、親機に設定されているデータにもとづいて、その子機を呼び出して無駄である。
【０００６】
すなわち、交換機等から通知された発信者電話番号と記憶部に記憶されているデータが示す発信者電話番号が一致すると、対応する子機を親機が呼び出す方式が有効に活用されない場合がある。
【０００７】
そこで、本発明は、特定の発信者電話番号にもとづいて特定の子機を呼び出す機能を有効に活用することができるコードレス電話機を提供することを目的とする。
【課題を解決するための手段】
【０００８】
本発明によるコードレス電話機は、親機が、発信者電話番号を示すデータと呼出先子機番号を示すデータと呼出者を特定可能なデータ（例えば、呼出先名称）とが対応して設定された呼出先テーブルを記憶する呼出先テーブル記憶部と、呼出先テーブル記憶部の記憶内容の設定および更新を行う呼出先管理部（例えば、親機主制御部１１と呼出先更新処理部１４で実現される。）と、着信時に加入者線を介して取得した発信者電話番号と呼出先テーブルに設定されているデータが示す発信者電話番号とが一致したときに、呼出先テーブルに設定されている呼出先子機番号を示すデータに対応する子機を呼び出す処理を行う呼出制御部（例えば、呼出先判定部１３および親機主制御部１１で実現される。）とを含み、各子機は、呼出先テーブルに設定された呼出者を特定可能なデータを記憶する呼出対象記憶部（例えば、呼出名称記憶部２４）と、呼出対象記憶部に記憶されている呼出者を特定可能なデータに相当する情報が入力された場合に、親機に対して呼出先テーブルの更新依頼を送信する更新依頼部（例えば、音声認識部２３と音声認識結果判定部２５とで実現される。）とを含み、呼出先管理部は、いずれかの子機から更新依頼を受信した場合に、呼出先テーブルにおける呼出先子機番号を示すデータを、更新依頼を送信した子機の子機番号を示すデータに更新することを特徴とする。
【０００９】
呼出先テーブルに設定される呼出者を特定可能なデータとして呼出者の生体情報のデータが設定され、更新依頼部が、入力された生体情報を認識する生体情報認識部と、生体情報認識部が認識した音声を示すデータが呼出先テーブルに設定された呼出者の生体情報と一致するか否か判定し、一致すると判定した場合に親機に対して呼出先テーブルの更新依頼を送信する生体情報認識結果判定部とを含むように構成されていてもよい。
【００１０】
呼出先テーブルに設定される呼出者を特定可能なデータとして呼出先名称を示すデータが設定され、更新依頼部は、入力された音声を認識する音声認識部と、音声認識部が認識した音声を示すデータが呼出先テーブルに設定された呼出先名称を示すデータと一致するか否か判定し、一致すると判定した場合に親機に対して呼出先テーブルの更新依頼を送信する音声認識結果判定部とを含むように構成されていてもよい。
【００１１】
呼出制御部は、加入者線を介して取得した発信者電話番号のデータが呼出先テーブル記憶部に記憶されていない場合には、全ての子機を呼び出す処理を行うように構成されていてもよい。
【００１２】
呼出先テーブル記憶部には、異なる呼出先子機番号を示すデータがそれぞれに設定された複数の呼出先テーブルが記憶されていてもよい。
【００１３】
呼出先テーブル記憶部には、同じ呼出先子機番号を示すデータが設定された複数の呼出先テーブルを記憶されていてもよい。
【発明の効果】
【００１４】
本発明によれば、発信者電話番号に対応する呼出対象の子機を適宜変更することができるので、特定の発信者電話番号にもとづいて特定の子機を呼び出す機能を有効に活用することができる。また、変更に際して子機の側から更新依頼を送信するので、親機の設定変更を一々行う必要はなく、呼出対象の子機の変更を行うときにユーザに不便を感じさせることもない。
【００１５】
また、子機が、入力された音声を認識し、認識した音声を示すデータが呼出先テーブルに設定された呼出先名称を示すデータと一致する場合に親機に対して呼出先テーブルの更新依頼を行う場合には、子機番号等を用いて変更する場合に比べて、ユーザが呼出対象の子機の変更を行うための処理がより容易になる。
【発明を実施するための最良の形態】
【００１６】
以下、本発明の実施の形態を図面を参照して説明する。図１は、本発明によるコードレス電話機を示すブロック図である。図１に示すように、加入者線（図示せず）に接続される親機１０は、親機１０内の各回路ブロックを制御する親機主制御部１１と、アンテナを介して子機２０，３０と無線通信を行うための回路を含む親機無線部１２とを含む。
【００１７】
さらに、呼出先テーブル記憶部１５を含む。呼出先テーブル記憶部１５には、発信者電話番号と、発信者電話番号に対応する子機の番号である呼出先子機番号と、発信者電話番号に対応する子機の名称である呼出先名称とが対応して設定される呼出先テーブルが記憶される。また、親機１０は、交換機等から受信した発信者電話番号にもとづいて呼出先テーブルを参照し、呼び出すべき子機（呼出子機）を特定する処理を行う呼出先判定部１３と、子機から呼出先の更新依頼を受信したときに呼出先テーブルの更新処理を行う呼出先更新処理部１４とを有する。
【００１８】
なお、親機１０には、加入者線に接続される通話回路、送受話器、表示器、テンキーなどの入力部、およびリンガ音を出力するリンガ等も搭載されているが、図１では、それらは記載省略されている。
【００１９】
図１に示すように、子機２０は、子機２０内の各回路ブロックを制御する子機主制御部２１と、アンテナを介して親機１０と無線通信を行うための回路を含む子機無線部２２とを含む。なお、子機２０には、マイクロフォン、スピーカ、表示器、テンキーなどの入力部、およびリンガ音を出力するリンガ等も搭載されているが、図１では、それらは記載省略されている。
【００２０】
さらに、スピーカに入力された音声の認識処理を行う音声認識部２３、呼出先名称のデータを記憶する呼出名称記憶部２４、および音声認識部２３の認識結果と呼出名称記憶部２４に記憶されているデータとの照合を行う音声認識結果判定部２５を含む。
【００２１】
図１において、子機３０の具体的構成は示されていないが、子機３０の構成は、子機２０の構成と同じである。よって、子機３０に含まれる子機主制御部、子機無線部、音声認識部、呼出名称記憶部および音声認識結果判定部を、子機主制御部２１、子機無線部２２、音声認識部２３、呼出名称記憶部２４および音声認識結果判定部２５と表現する。
【００２２】
次に、図２〜図５のフローチャートを参照してコードレス電話機の動作を説明する。ここでは、あらかじめ、子機２０に＃１の番号が付され、子機３０に＃２の番号が付されているとする。また、子機２０はと子機３０とは別の部屋に設置されているとする。
【００２３】
図２は、親機１０の呼出先テーブル記憶部１５に呼出先テーブルを設定する処理を示すフローチャートである。ユーザは、親機１０の入力部から、特定の子機に対応付けたい発信者電話番号を入力する（ステップＳ２１）。また、呼出先名称を入力する（ステップＳ２２）。呼出先名称を入力するときに、例えば、ユーザは、テンキー入力モードを文字入力モードに設定する。ここでは、親機１０が、文字として「かたかな」を扱う場合を例にする。呼出先名称を入力するときに、例えば、「イチロー」とキー入力される。
【００２４】
次いで、ユーザは、発信者電話番号に対応する呼出対象の子機番号を入力する（ステップＳ２３）。親機主制御部１１は、ステップＳ２１〜Ｓ２３の処理で入力された事項に問題（入力すべき事項が欠落していたり、入力できない事項が入力された等）がなければ（ステップＳ２４）、ステップＳ２１〜Ｓ２３の処理で入力されたデータ（発信者電話番号を示すデータ、子機番号を示すデータ、および呼出先名称を示すデータ）を対応させて呼出先テーブルとして呼出先テーブル記憶部１５に書き込む（ステップＳ２５）。
【００２５】
なお、ステップＳ２１で入力された発信者電話番号を示すデータを含む呼出先テーブルが既に呼出先テーブル記憶部１５に記憶されている場合には、親機主制御部１１は、その呼出先テーブルにおける子機番号を示すデータと呼出先名称を示すデータとを、ステップＳ２２，Ｓ２３の処理で入力されたデータに置き換える。すなわち、ステップＳ２２，Ｓ２３の処理で入力されたデータで呼出先テーブルを更新する。
【００２６】
また、ステップＳ２１〜Ｓ２３およびステップＳ２５の処理（登録処理）の実行前に、ステップＳ２２の処理で入力された呼出先名称を含む呼出先テーブルが呼出先テーブル記憶部１５に記憶されていなかった場合、すなわち呼出先名称を新規に登録した場合には、親機主制御部１１は、親機無線部１２を介して、全ての子機２０，３０に、呼出先名称を示すデータを送信する（ステップＳ２６，Ｓ２７）。
【００２７】
なお、ステップＳ２５の処理で呼出先テーブルを更新する処理を実行したときに呼出先名称を変更した場合にも、親機主制御部１１は、親機無線部１２を介して、全ての子機２０，３０に、呼出先名称を示すデータを送信する。
【００２８】
子機２０において、子機主制御部２１は、子機無線部２２を介して呼出先名称を示すデータを受信する。子機主制御部２１は、呼出先名称を示すデータを受信したときに、そのデータを、呼出名称記憶部２４に格納する。
【００２９】
図３は、加入者線を介して親機１０に対して着信があったときの親機１０の処理を示すフローチャートである。例えば、ステップＳ２１の処理で「０３−△△△△−××××」が入力され、ステップＳ２２の処理で「イチロー」と入力され、ステップＳ２３の処理で子機２０の番号＃１が入力されたとする。よって、呼出先テーブルには、「０３−△△△△−××××」のデータと、子機２０の番号＃１を示すデータと、「イチロー」を示すデータとが設定されている。
【００３０】
呼出先判定部１３は、着信があったときに、交換機等から通知された発信者電話番号（加入者線を介して取得した発信者電話番号）のデータを含む呼出先テーブルが呼出先テーブル記憶部１５に記憶されているか否か確認する（ステップＳ３１，Ｓ３２）。交換機等から通知された発信者電話番号が「０３−△△△△−××××」である場合には、その発信者電話番号のデータを含む呼出先テーブルが呼出先テーブル記憶部１５に記憶されていることになる。すなわち、交換機等から通知された発信者電話番号のデータと一致する発信者電話番号のデータが呼出先テーブルに存在している。
【００３１】
呼出先判定部１３は、発信者電話番号のデータを含む呼出先テーブルが呼出先テーブル記憶部１５に記憶されている場合には、その呼出先テーブルに設定されている子機番号（この例では、＃１）のデータに対応する子機（この例では、子機２０）を呼出対象の子機と特定する。親機主制御部１１は、呼出先判定部１３が特定した子機を呼び出す処理を行う。よって、「０３−△△△△−××××」からの着信があったときには、子機２０のリンガが鳴動する（ステップＳ３３，Ｓ３４）。なお、呼び出す処理を行う場合に、親機主制御部１１は、自機のリンガを鳴動させる処理を実行しない。
【００３２】
また、発信者電話番号のデータを含む呼出先テーブルが呼出先テーブル記憶部１５に記憶されていない場合には、全ての子機２０，３０を呼び出す処理を行う。よって、全ての子機２０，３０のリンガが鳴動する（ステップＳ３３，Ｓ３５）。なお、親機主制御部１１は、呼出先テーブルそのものが呼出先テーブル記憶部１５に記憶されていない場合に全ての子機２０，３０を呼び出す処理を行う。すなわち、交換機等から通知された発信者電話番号のデータが呼出先テーブル記憶部１５に記憶されていない場合には、全ての子機２０，３０を呼び出す処理を行う。
【００３３】
次に、発信者電話番号「０３−△△△△−××××」および子機２０に対応する呼出先名称「イチロー」で特定される人物（ユーザＡとする。）が、子機２０が設置されている部屋から子機３０が設置されている部屋に移動したことを想定する。その場合、「０３−△△△△−××××」からの着信があったときに、子機２０のリンガが鳴動するが、子機２０が設置されている部屋にユーザＡは存在しない。
【００３４】
そこで、この実施の形態では、「０３−△△△△−××××」からの着信があったときに、子機３０のリンガが鳴動するように変更処理を行う。
【００３５】
図４は、呼出先の子機を変更するための処理を示すフローチャートである。ユーザＡは、子機３０のマイクロフォンに向かって「イチロー」と発声する（ステップＳ４１）。子機３０において、音声認識部２３は、入力された音声を認識する（ステップＳ４２）。この場合には、音声認識部２３は、「イチロー」と認識する。子機３０において、音声認識結果判定部２５は、音声認識部２３の認識結果を示すデータを入力する。なお、音声認識部２３が音声認識できなかった場合には、例えば、音声認識結果判定部２５は、音声認識できなかったことを示すデータを子機主制御部２１に出力する。子機主制御部２１は、音声認識できなかったことを示すデータを入力した場合には、子機３０に設けられている表示器に、その旨を表示し、音声の再入力を促す。
【００３６】
音声認識部２３が音声認識できた場合には、音声認識結果判定部２５は、音声認識結果が示すデータと、呼出名称記憶部２４に記憶されているデータとを比較する（ステップＳ４４）。上述したように、親機１０は、全ての子機２０，３０に呼出先名称を示すデータを送信したので、全ての子機２０，３０において、呼出名称記憶部２４には、呼出先名称「イチロー」を示すデータが記憶されている。
【００３７】
よって、子機３０において、音声認識結果判定部２５は、音声認識結果が示すデータと一致する呼出先名称「イチロー」を示すデータが呼出名称記憶部２４に記憶されていると判断する。その場合には、音声認識結果判定部２５は、一致したことを示すデータを子機主制御部２１に出力する。子機主制御部２１は、子機無線部２２を介して、親機１０に、子機３０において呼出先名称「イチロー」を示すデータが入力されたこと（呼出子機の更新依頼）を送信する（ステップＳ４５）。
【００３８】
図５は、親機における呼出先テーブル更新処理を示すフローチャートである。子機３０が、呼出先名称「イチロー」を示すデータが入力された更新依頼を送信した場合には、親機主制御部１１は、親機無線部１２を介して呼出子機の更新依頼を受信する（ステップＳ５１）。親機主制御部１１は、更新依頼の送信元を判定することによって、更新後の呼出子機を特定する（ステップＳ５２）。親機主制御部１１の判定処理を容易にするために、子機３０は、自機の番号＃２を更新依頼に含めるようにしてもよい。
【００３９】
親機主制御部１１は、子機３０からの更新依頼を受信すると、呼出先テーブルにおける呼出先子機番号（この例では、子機２０の子機番号である＃１が設定されていた。）を、子機３０を示す＃２に更新する（ステップＳ５３）。
【００４０】
以後、「０３−△△△△−××××」からの着信があったときには、親機主制御部１１は、呼出先テーブルに設定されている子機番号＃２のデータに対応する子機３０を呼び出す処理を行う。よって、子機３０のリンガが鳴動するので、ユーザは、直ちに着信があったことを認識でき、直ちに発信者からの電話に応答することができる。
【００４１】
以上に説明したように、この実施の形態では、親機１０は、発信者電話番号を示すデータと呼出先子機番号を示すデータと呼出先名称を示すデータとが対応して設定された呼出先テーブルを記憶し、交換機等から通知された発信者電話番号が呼出先テーブルに設定されている発信者電話番号と一致した場合には、その発信者電話番号に対応する子機を呼び出す。よって、その発信者電話番号を有する発信者からの電話を、その発信者の相手である可能性が高いユーザＡが頻繁に使用する子機が呼び出され、ユーザＡは、発信者からの着信に対して直ちに応答することができるという効果が維持される。
【００４２】
さらに、この実施の形態では、ユーザＡが、呼出先テーブルに設定されている呼出先子機番号に対応する子機から離れた場合に、呼出先の子機を、ユーザＡの近くにある他の子機に変更することができるので、親機１０は、ユーザＡにとって最適（最も近くにあること等）な子機を呼び出すことができる。
【００４３】
また、呼出先の子機を変更するときに、ユーザＡは、音声によって変更を行うことができるので、変更の際に、キー入力等の操作を行う必要はない。特に、呼出先の子機を変更するときに、ユーザＡに対応した呼出先名称（例えば、「イチロー」）が用いられるので、ユーザは、容易に変更を実行するための入力を行うことができる。例えば、子機番号を発声する等、子機番号を用いて変更する場合にはユーザは各子機の子機番号を記憶しておく必要があるが、一般に、呼出先名称を記憶することに比べて、コードレス電話機の子機番号を記憶することは難しい。
【００４４】
なお、上記の実施の形態では、１つの呼出先テーブルが用いられたが、複数の呼出先テーブルを呼出先テーブル記憶部１５に記憶することもできる。例えば、発信者電話番号「０３−△△△△−××××」に関する呼出先テーブル（テーブル（１）とする。）と、発信者電話番号「０３−○○○○−□□□□」に関する呼出先テーブル（テーブル（２）とする。）とが呼出先テーブル記憶部１５に記憶されていてもよい。例えば、複数の呼出先テーブルにおいて、同じ呼出先子機番号が設定される。
【００４５】
子機２０，３０は複数あるので、複数の呼出先テーブルが呼出先テーブル記憶部１５に記憶される場合に、各呼出先テーブルに設定される呼出先子機番号は異なっていてもよい。テーブル（１）には、子機２０を示す子機番号＃１とユーザＡに対応する呼出先名称「イチロー」が設定され、テーブル（２）には、子機３０を示す子機番号＃２とユーザＢに対応する呼出先名称「ジロー」が設定されるような例が考えられる。その場合、各子機２０，３０の呼出名称記憶部１５には、呼出先名称「イチロー」を示すデータと呼出先名称「ジロー」を示すデータとがともに記憶される。
【００４６】
その場合に、例えば、ユーザＢが、子機３０が設置されている部屋から子機２０に移動したときに、子機２０に対して「ジロー」と音声入力する。すると、子機２０および親機１０による上述したような処理によって、以後、「０３−○○○○−□□□□」からの着信にもとづいて、ユーザＢが在室する子機２０のリンガが鳴動する。
【００４７】
さらに、音声入力によって、呼出先テーブルに設定されている呼出先子機番号をキャンセルするようにしてもよい。例えば、呼出先テーブルに、発信者電話番号「０３−△△△△−××××」を示すデータと、子機２０の子機番号＃１を示すデータと、ユーザＡに対応する呼出先名称「イチロー」を示すデータとが設定されている状態で、ユーザＡが、子機２０または子機３０に対して、「イチロー」と外出を示す「ソト」とを発声する。子機２０または子機３０における、音声認識部２３がそれらを音声認識すると、親機１０に、呼出先名称「イチロー」を示すデータと外出を示すデータとを送信する。親機主制御部１１は、それらのデータにもとづいて、呼出先テーブルにおける呼出先子機番号を無効にする。その後、親機主制御部１１は、着信の際に交換機等から発信者電話番号「０３−△△△△−××××」の通知を受けると、例えば、自機および全ての子機２０，３０のリンガを鳴動させる制御を行う。ユーザＡが帰宅したときに、子機２０または子機３０に対して、「イチロー」と帰宅を示す「ナカ」とを発声することによって、呼出先テーブルにおける呼出先子機番号を有効に戻すことができる。
【００４８】
なお、上記の実施の形態では、子機２０，３０が更新依頼を送信する契機になる生体情報として音声を利用したが、生体情報は音声に限られない、例えば、親機１０および子機２０，３０に指紋入力装置を備え、呼出先テーブル記憶部１５に設定される呼出先名称に代えて、指紋入力装置に入力された指紋のデータを用いるようにしてもよい。その場合に、親機１０は、呼出先テーブルを作成したときに子機２０，３０に指紋のデータを送信し、子機２０，３０において、呼出名称記憶部２４には、親機１０から受信された指紋のデータが記憶される。
【００４９】
そして、ユーザは、子機２０または子機３０において、呼出先名称を音声入力することに代えて、指紋入力装置から指紋を入力する。子機２０，３０には、音声認識部２３および音声認識結果判定部２５に代えて、指紋認識部および指紋認識結果判定部が設けられる。指紋認識結果判定部は、指紋認識部の認識結果が呼出名称記憶部２４に記憶されている指紋のデータと一致すると、親機１０に更新依頼を送信する。
【００５０】
さらに、音声や指紋情報に代えて、網膜情報、虹彩情報、静脈パターン情報などの他の生体情報を用いてもよい。
【産業上の利用可能性】
【００５１】
本発明は、親機と複数の子機とを備えたコードレス電話機に好適に適用される。
【図面の簡単な説明】
【００５２】
【図１】本発明によるコードレス電話機を示すブロック図である。
【図２】親機の呼出先テーブル記憶部に呼出先テーブルを設定する処理を示すフローチャートである。
【図３】加入者線を介して親機に対して着信があったときの親機の処理を示すフローチャートである。
【図４】呼出先の子機を変更するための処理を示すフローチャートである。
【図５】親機における呼出先テーブル更新処理を示すフローチャートである。
【符号の説明】
【００５３】
１０  親機
１１  親機主制御部
１２  親機無無線部
１３  呼出先判定部
１４  呼出先変更処理部
１５  呼出先テーブル記憶部
２０，３０  子機
２１  子機主制御部
２２  子機無線部
２３  音声認識部
２４  呼出名称記憶部
２５  音声認識結果判定部
【図１】
2008219721.tif 000003
【図２】
2008219721.tif 000004
【図３】
2008219721.tif 000005
【図４】
2008219721.tif 000006
【図５】
2008219721.tif 000007